(57)【要約】【課題】嵌合部に対してチューブの接続位置が偏心していても、開口部へスムーズに嵌合でき、取付に係る作業性に優れたグロメットを提供する。【解決手段】グロメット１は、車両本体に形成された第１の開口部に嵌合される扁平筒状のボディ側嵌合部２と、ドアに形成された第２の開口部に嵌合される扁平筒状のドア側嵌合部３と、ボディ側嵌合部２とドア側嵌合部３とを接続するチューブ４と、を含んでなり、ドア側嵌合部３に対してチューブ４を偏心位置で接続すると共に、ドア側嵌合部３におけるチューブ４の接続位置と反対側の偏心位置に、チューブ４の接続方向と平行な把持片１８を突設している。【選択図】図１
2016157574.tif 000002
【特許請求の範囲】
【請求項１】
一方の被取付部に形成された第１の開口部に嵌合される筒状の第１の嵌合部と、
他方の被取付部に形成された第２の開口部に嵌合される筒状の第２の嵌合部と、
前記第１の嵌合部と前記第２の嵌合部とを接続するチューブと、を含んでなるグロメットであって、
前記第１の嵌合部と前記第２の嵌合部との少なくとも一方に対して前記チューブを偏心位置で接続すると共に、前記少なくとも一方の嵌合部における前記チューブの接続位置と反対側の偏心位置に、前記チューブの接続方向と平行な把持部を突設したことを特徴とするグロメット。
【請求項２】
前記少なくとも一方の嵌合部は全体形状が長円形状であり、長軸方向の一方側に前記チューブが接続され、他方側に前記把持部が突設されることを特徴とする請求項１に記載のグロメット。
【発明の詳細な説明】
【技術分野】
【０００１】
本発明は、車両本体とドア等の２つの被取付部間に跨がって取り付けられて、両被取付部間に配索されるワイヤハーネスを保護するグロメットに関する。
【背景技術】
【０００２】
自動車用のワイヤハーネスを車両本体等に設けた開口部に貫通させて配索する際、ゴム製で筒状のグロメットを開口部に嵌合させることでワイヤハーネスの保護が図られる。特に、車両本体とドアとの間にワイヤハーネスが配索される際には、特許文献１に開示されるように、ドア側に嵌合されるドア側嵌合部と、車両本体側に嵌合されるボディ側嵌合部とを蛇腹状のチューブで接続した一体型のグロメットが使用される。このグロメットを取り付ける場合は、ドアの内部からドア側の開口部にボディ側嵌合部とチューブとを貫通させてドア側嵌合部を内部側から開口部に嵌合させた後、ボディ側嵌合部を車両本体側の開口部に嵌合させる手順で行われる。
【先行技術文献】
【特許文献】
【０００３】
【特許文献１】特開平９−１３９１３２号公報
【発明の概要】
【発明が解決しようとする課題】
【０００４】
上記一体型のグロメットにおいては、ドア側嵌合部及びボディ側嵌合部の中央にチューブがそれぞれ接続されるのが一般的であるが、ワイヤハーネスの屈曲性能を向上させるために、チューブの接続位置を敢えて嵌合部の中央から偏心させる場合がある。
しかし、ドア側嵌合部においてチューブの接続位置が偏心していると、ドア側の開口部に通したチューブを引っ張ってドア側嵌合部を開口部に嵌合させようとすると、チューブの接続側が先に引っ張られることでドア側嵌合部が傾いたり変形したりしてしまい、開口部にスムーズに嵌合できずにやり直したりして手間が掛かる場合がある。
【０００５】
そこで、本発明は、嵌合部に対してチューブの接続位置が偏心していても、開口部へスムーズに嵌合でき、取付に係る作業性に優れたグロメットを提供することを目的としたものである。
【課題を解決するための手段】
【０００６】
上記目的を達成するために、請求項１に記載の発明は、一方の被取付部に形成された第１の開口部に嵌合される筒状の第１の嵌合部と、他方の被取付部に形成された第２の開口部に嵌合される筒状の第２の嵌合部と、第１の嵌合部と第２の嵌合部とを接続するチューブと、を含んでなるグロメットであって、第１の嵌合部と第２の嵌合部との少なくとも一方に対してチューブを偏心位置で接続すると共に、当該少なくとも一方の嵌合部におけるチューブの接続位置と反対側の偏心位置に、チューブの接続方向と平行な把持部を突設したことを特徴とするものである。
請求項２に記載の発明は、請求項１の構成において、当該少なくとも一方の嵌合部は全体形状が長円形状であり、長軸方向の一方側にチューブが接続され、他方側に把持部が突設されることを特徴とするものである。
【発明の効果】
【０００７】
請求項１に記載の発明によれば、チューブを偏心位置で接続した嵌合部に把持部を設けたことで、嵌合部に対してチューブの接続位置が偏心していても、チューブと共に把持部を引っ張ることで、当該嵌合部を傾かせたり変形させたりすることなく開口部へスムーズに嵌合させることができる。よって、取付に係る作業性に優れたものとなる。
請求項２に記載の発明によれば、請求項１の効果に加えて、長円形状とした嵌合部の長軸方向の一方側にチューブを接続し、他方側に把持部を突設したことで、チューブと共に把持部をバランス良く引っ張れる位置に配置することができる。
【図面の簡単な説明】
【０００８】
【図１】グロメットのボディ側嵌合部側上方からの斜視図である。
【図２】グロメットのボディ側嵌合部側下方からの斜視図である。
【図３】グロメットの説明図で、（Ａ）が正面、（Ｂ）が右側面、（Ｃ）が左側面、（Ｄ）が平面、（Ｅ）が底面をそれぞれ示す。
【図４】（Ａ）〜（Ｄ）はグロメットの取付手順を示す説明図である。
【発明を実施するための形態】
【０００９】
以下、本発明の実施の形態を図面に基づいて説明する。
図１，２は、グロメットの一例を示す斜視図、図３は説明図で、このグロメット１は、一方の被取付部となる車両本体と、他方の被取付部となるドア（サイドドアやバックドア）との間に取り付けられる。ここでは車両本体側の第１の開口部に嵌合される第１の嵌合部としてのボディ側嵌合部２と、ドア側の第２の開口部に嵌合される第２の嵌合部としてのドア側嵌合部３と、ボディ側嵌合部２とドア側嵌合部３とを接続するチューブ４とからなるゴム製の一体成形品となっている。
【００１０】
ボディ側嵌合部２は、長円形状を呈する外枠５からドア側嵌合部３側へ行くに従って先細り状に突出して先端が平坦面となるテーパ部６を連設した扁平筒で、外枠５の内側では同形状の外側開口７が略全体に形成されて、外側開口７内に図示しないインナーコネクタの取付部８が形成されている。ボディ側嵌合部２のテーパ部６の平坦面には、長軸方向で一方側へずれた偏心位置に小径の内側開口９が形成されて、内側開口９にチューブ４の一端が接続されている。外枠５の外周には、全周に亘って嵌合溝１０が形成されている。
【００１１】
ドア側嵌合部３も、長円形状を呈する外枠１１からボディ側嵌合部２側へ行くに従って先細り状に突出して先端が平坦面となるテーパ部１２を連設した扁平筒で、外枠１１の内側では同形状の外側開口１３が略全体に形成され、テーパ部１２の平坦面には、長軸方向で一方側へずれた偏心位置に小径の内側開口１４が形成されて、内側開口１４にチューブ４の他端が接続されている。但し、内側開口１４の偏心位置は、ボディ側嵌合部２での内側開口９の偏心位置とは逆側となっており、チューブ４を左右方向とした正面視では、図３（Ａ）に示すように、チューブ４を挟んでボディ側嵌合部２とドア側嵌合部３とが対向位置から互いに上下逆方向へずれた格好となっている。
【００１２】
また、ドア側嵌合部３における外枠１１の外周には、全周に亘って嵌合溝１５が形成されて、テーパ部１２の内面には、内側開口１４を同軸で囲む筒状リブ１６と、筒状リブ１６と外枠１１の内周とを繋ぐ格子状の直線リブ１７とが形成されている。
そして、ドア側嵌合部３のテーパ部１２の平坦面において、内側開口１４と反対側の偏心位置には、把持部としての帯板状の把持片１８が、チューブ４と平行に突設されている。把持片１８の先端には、チューブ４側とは反対側へ折曲する返し部１９が形成されている。
【００１３】
チューブ４は、全体に蛇腹が形成されて屈曲性を有し、ドア側嵌合部３への連結側の端部が、ドア側嵌合部３へ近づくに従って徐々に拡開するテーパ状となっている。よって、ドア側嵌合部３の内側開口１４は、ボディ側嵌合部２の内側開口９よりも大径に形成されている。
【００１４】
以上の如く構成されたグロメット１を、図４に示すように、車両本体２０の長円形状の第１の開口部２１とドア２２の長円形状の第２の開口部２３とに跨がって取り付ける場合、ワイヤハーネスＷをグロメット１に貫通させた状態で、同図（Ａ）に示すように、まずドア２２側の第２の開口部２３にボディ側嵌合部２とチューブ４とをワイヤハーネスＷと共に貫通させる。
次に、第２の開口部２３にドア側嵌合部３を嵌合させる。このとき、チューブ４を外から引っ張ってドア側嵌合部３を第２の開口部２３に移動させることになるが、そのままではチューブ４の接続側が先に引っ張られてドア側嵌合部３が傾くおそれがある。
【００１５】
しかし、ここで同図（Ｂ）に矢印で示すように、チューブ４と共に把持片１８を片手又は両手で把持してチューブ４と把持片１８とを同時に引っ張るようにすれば、ドア側嵌合部３は、長軸方向の両端が同時に引っ張られることになるため、チューブ４に対して傾いたり変形したりすることがない。よって、同図（Ｃ）に示すように、チューブ４との直交姿勢を保ったままドア側嵌合部３を移動させて嵌合溝１５を第２の開口部２３に嵌合させることができる。把持片１８には、返し部１９が設けられているので、手が滑ることなく確実に把持できる。
【００１６】
こうして把持片１８を利用することで、ドア側嵌合部３の第２の開口部２３への嵌合はスムーズに行われる。最後に同図（Ｄ）に示すように、ボディ側嵌合部２を車両本体２０の第１の開口部２１に押し込んで嵌合溝１０を嵌合させれば、グロメット１の取付は完了し、ワイヤハーネスＷはグロメット１に保護された状態で車両本体２０からドア２２の内部まで配索される。
【００１７】
このように、上記形態のグロメット１によれば、ドア側嵌合部３に対してチューブ４を偏心位置で接続すると共に、ドア側嵌合部３におけるチューブ４の接続位置と反対側の偏心位置に、チューブ４の接続方向と平行な把持片１８を突設したことで、ドア側嵌合部３に対してチューブ４の接続位置が偏心していても、ドア側嵌合部３を傾かせたり変形させたりすることなく第２の開口部２３へスムーズに嵌合させることができる。よって、取付に係る作業性に優れたものとなる。
【００１８】
特にここでは、長円形状としたドア側嵌合部３の長軸方向の一方側にチューブ４を接続し、他方側に把持片１８を突設しているので、チューブ４と共に把持片１８をバランス良く引っ張れる位置に配置することができる。
【００１９】
なお、把持部の形状は、上記形態のような帯板状の把持片に限らず、幅や長さを大きくしたり、先端を大きくしたり、指を引っ掛けるための透孔やフックを形成したり等、チューブと同時に引っ張り可能であれば適宜変更可能である。把持部を複数突設することもできる。また、上記形態ではドア側嵌合部のみに把持部を設けているが、取付形態によってはボディ側嵌合部にも把持部を設けることは可能である。
さらに、嵌合部の形状も、楕円形状や円形状、四角形状等、チューブの偏心位置での接続と反対側での把持部の突設とが可能であれば、長円形状に限定されない。チューブも屈曲性を有するものであれば蛇腹状に限らない。
【００２０】
その他、グロメットを取り付ける被取付部も、車両本体とドアとに限らず、車両本体とトランク等、他の被取付部間であってもよい。
そして、グロメットは一体成形品である必要はなく、例えばチューブをゴム製、両端の嵌合部を樹脂製としてそれぞれ別々に作成して接合したり、チューブと一方の嵌合部をゴム製、他方の嵌合部を樹脂製として接合したりするもの等であっても本発明は適用可能である。
【符号の説明】
【００２１】
１・・グロメット、２・・ボディ側嵌合部、３・・ドア側嵌合部、４・・チューブ、５，１１・・外枠、６，１２・・テーパ部、７，１３・・外側開口、９，１４・・内側開口、１０，１５・・嵌合溝、１８・・把持片、１９・・返し部、２０・・車両本体、２１・・第１の開口部、２２・・ドア、２３・・第２の開口部、Ｗ・・ワイヤハーネス。
【図１】
2016157574.tif 000003
【図２】
2016157574.tif 000004
【図３】
2016157574.tif 000005
【図４】
2016157574.tif 000006